(57)【要約】【課題】表示装置を起動することなく、データ記録装置に挿入されている光ディスクの種類を確認することができるデータ記録装置を提供する。【解決手段】固有の媒体情報が記録された記録媒体を着脱可能に装着し、該記録媒体にデータを記録するデータ記録装置１に、装着されている記録媒体から該記録媒体に固有の媒体情報を取得する取得手段と、記録媒体を分類するための色情報を受け付ける受付手段と、該受付手段が受け付けた色情報、及び前記取得手段が取得した媒体情報を関連付けて記憶するデータ記憶部１２と、前記取得手段が取得した媒体情報に関連付けられた色情報をデータ記憶部１２から読み出す手段と、読み出された色情報が表す色で発光する３色ＬＥＤ表示部３３とを備える。【選択図】図２
2012003820.tif 000002
【特許請求の範囲】
【請求項１】
固有の媒体情報が記録された記録媒体を着脱可能に装着し、該記録媒体にデータを記録するデータ記録装置において、
装着されている記録媒体から該記録媒体に固有の媒体情報を取得する取得手段と、
記録媒体を分類するための色情報を受け付ける受付手段と、
該受付手段が受け付けた色情報、及び前記取得手段が取得した媒体情報を関連付けて記憶する記憶手段と、
前記取得手段が取得した媒体情報に関連付けられた色情報を前記記憶手段から読み出す手段と、
読み出された色情報が表す色で発光する発光手段と
を備えることを特徴とするデータ記録装置。
【請求項２】
記録媒体が装着されているか否かを判定する手段を備え、
前記発光手段は、記録媒体が装着されていないと判定した場合、消灯するようにしてある
ことを特徴とする請求項１に記載のデータ記録装置。
【請求項３】
前記発光手段は、点滅発光するようにしてある
ことを特徴とする請求項１又は請求項２に記載のデータ記録装置。
【請求項４】
装着された記録媒体の空き容量を検出する手段を備え、
前記発光手段は、検出された記録媒体の空き容量に応じた異なる態様で点滅するようにしてある
ことを特徴とする請求項１から請求項３までのいずれか一項に記載のデータ記録装置。
【請求項５】
前記記憶手段は、
データを記憶することができる複数の記憶領域を有する記憶部を備え、一の記録媒体に固有の媒体情報、及び該記録媒体を分類するための色情報を前記複数の記憶領域の内の一の記憶領域に関連付けて記憶するようにしてあり、
更に、前記取得手段が取得した媒体情報に関連付けられている記憶領域の空き容量を検出する手段を備え、
前記発光手段は、
検出された記憶領域の空き容量に応じた異なる態様で点滅するようにしてある
ことを特徴とする請求項１から請求項３までのいずれか一項に記載のデータ記録装置。
【請求項６】
検出された空き容量が少ない程、消灯時間に対する点灯時間の比が小さい
ことを特徴とする請求項４又は請求項５に記載のデータ記録装置。
【発明の詳細な説明】
【技術分野】
【０００１】
本発明は、着脱可能な記録媒体にデータを記録するデータ記録装置に関する。
【背景技術】
【０００２】
ＤＶＤのリードインに、該ＤＶＤが片面ディスク及び両面ディスクのいずれであるかを表した情報を記憶しておき、チェンジャー内の所望ディスクが選択され、再生部にディスクが装填された場合、ディスク内の情報を読み取り、ディスクが片面ディスク及び両面ディスクのいずれであるかを判定し、片面ディスクであるときは、２つある表示素子の片方を点灯させ、両面ディスクであるときは、両方を点灯させるように構成したチェンジャー式ＤＶＤプレーヤが開示されている（例えば、特許文献１）。前記ＤＶＤプレーヤによれば、装填されたディスクが片面ディスク及び両面ディスクのいずれであるかを一目で視認することができる。
また、フレキシブルディスクの記憶容量又はフォーマット形式に応じて、発光ダイオードの色調を変化させる技術が開示されている（例えば、特許文献２）。
【先行技術文献】
【特許文献】
【０００３】
【特許文献１】特開２００１−６７８４１号公報
【特許文献２】特開昭６１−９２４７０号公報
【発明の概要】
【発明が解決しようとする課題】
【０００４】
しかしながら、特許文献１に記載のＤＶＤプレーヤは、ディスクが片面ディスク及び両面ディスクのいずれであるかを判定し、表示するのみであり、それ以上の情報を得るためには、表示装置の電源をオン状態にして、ＤＶＤの情報を表示装置に表示させる必要があるという問題があった。例えば、父、母、子で使用するＤＶＤが異なるような場合、あるいは、ドラマ、映画、スポーツ、アニメなどのジャンルによって異なるＤＶＤを使用しているような場合に、ＤＶＤプレーヤに挿入されているＤＶＤの種類を確認するためには、表示装置の電源をオン状態にする必要があった。
また、特許文献２に記載の技術は、フレキシブルディスクの容量又はフォーマット形式の相違を表示することができるが、使用者によって区別ないし分類されたフレキシブルディスクの種類を表示することはできない。
更に、従来技術においては、使用者によって区別ないし分類されたＤＶＤ、フレキシブルディスク等の記録媒体を、電源オフ状態で使用者が確認できないという問題点は、従来認識されていなかった。
【０００５】
本発明は斯かる事情に鑑みてなされたものであり、表示装置を起動することなく、データ記録装置が装着している記録媒体の種類を確認することができるデータ記録装置を提供することを目的とする。
【課題を解決するための手段】
【０００６】
本発明に係るデータ記録装置は、固有の媒体情報が記録された記録媒体を着脱可能に装着し、該記録媒体にデータを記録するデータ記録装置において、装着されている記録媒体から該記録媒体に固有の媒体情報を取得する取得手段と、記録媒体を分類するための色情報を受け付ける受付手段と、該受付手段が受け付けた色情報、及び前記取得手段が取得した媒体情報を関連付けて記憶する記憶手段と、前記取得手段が取得した媒体情報に関連付けられた色情報を前記記憶手段から読み出す手段と、読み出された色情報が表す色で発光する発光手段とを備えることを特徴とする。
【０００７】
本発明にあっては、取得手段によって、記録媒体から該記録媒体に固有の媒体情報を取得する。また、受付手段によって、記録媒体を分類するための色情報を受け付ける。そして、記憶手段は、記録媒体の媒体情報と、色情報とを関連付けて記憶する。記録媒体夫々の媒体情報と、色情報とを関連付けることによって、複数の記録媒体は色情報で分類される。一方、データ記録装置に記録媒体が装着されている場合、取得手段は、装着されている記録媒体から媒体情報を取得し、発光手段は、読み出された色情報が表す色で発光する。従って、発光手段は、データ記録手段に装着されている記録媒体の種類に応じて、異なる色で発光する。
【０００８】
本発明に係るデータ記録装置は、記録媒体が装着されているか否かを判定する手段を備え、前記発光手段は、記録媒体が装着されていないと判定した場合、消灯するようにしてあることを特徴とする。
【０００９】
本発明にあっては、データ記録装置に記録媒体が装着されていない場合、発光手段は消灯し、データ記録装置に記録媒体が装着されている場合、装着されている記録媒体の種類に応じて、異なる色で発光する。
【００１０】
本発明に係るデータ記録装置は、前記発光手段は、点滅発光するようにしてあることを特徴とする。
【００１１】
本発明にあっては、発光手段は点滅発光するため、常時点灯させる場合に比べて、消費電力を削減することが可能である。
【００１２】
本発明に係るデータ記録装置は、装着された記録媒体の空き容量を検出する手段を備え、前記発光手段は、検出された記録媒体の空き容量に応じた異なる態様で点滅するようにしてあることを特徴とする。
【００１３】
本発明にあっては、記録媒体の空き容量に応じて、発光手段の点灯態様が異なる。従って、記録媒体の空き容量を使用者に視認させることが可能である。
【００１４】
本発明に係るデータ記録装置は、前記記憶手段は、データを記憶することができる複数の記憶領域を有する記憶部を備え、一の記録媒体に固有の媒体情報、及び該記録媒体を分類するための色情報を前記複数の記憶領域の内の一の記憶領域に関連付けて記憶するようにしてあり、更に、前記取得手段が取得した媒体情報に関連付けられている記憶領域の空き容量を検出する手段を備え、前記発光手段は、検出された記憶領域の空き容量に応じた異なる態様で点滅するようにしてあることを特徴とする。
【００１５】
本発明にあっては、データ記録装置は、データを記憶することができる複数の記憶領域を有する記憶部を備えており、記録媒体と、記憶領域とが関連付けられている。記録媒体と、記憶領域との関連付けによって、例えば、記録媒体が記録しているデータと、記憶領域が記憶しているデータとを同期させることが可能である。また、記録媒体に記録すべきデータを、関連付けられた記憶領域に一時記憶させることも可能である。
発光手段は、記録媒体に関連付けられた一の記憶領域の空き容量に応じて、点灯態様が異なる。従って、装着している記録媒体に関連付けられた記憶領域の空き容量を使用者に視認させることが可能である。
【００１６】
本発明に係るデータ記録装置は、検出された空き容量が少ない程、消灯時間に対する点灯時間の比が小さいことを特徴とする。
【００１７】
本発明にあっては、発光手段の点灯時間と、消灯時間との比で、記録媒体又は記憶領域の空き容量を表示する。
【発明の効果】
【００１８】
本発明によれば、表示装置を起動することなく、データ記録装置が装着している記録媒体の種類を確認することができる。
【図面の簡単な説明】
【００１９】
【図１】本実施の形態に係るデータ記録装置の外観を示す模式図である。
【図２】本実施の形態に係るデータ記録装置の内部構成を示すブロック図である。
【図３】記憶部の内部構成を概念的に示す説明図である。
【図４】光ディスクの登録に係る処理手順を示すフローチャートである。
【図５】ディスク色登録画面の一例を示した模式図である。
【図６】３色ＬＥＤ表示部の点灯に係る制御部の処理手順を示すフローチャートである。
【図７】電源がオフ状態にあるデータ記録装置の外観を示す模式図である。
【図８】３色ＬＥＤ表示部の点滅状態を概念的に示す説明図である。
【図９】電源がオン状態にあるデータ記録装置の外観を示す模式図である。
【図１０】変形例１に係る３色ＬＥＤ表示部の点灯に係る制御部の処理手順を示すフローチャートである。
【図１１】変形例１に係る３色ＬＥＤ表示部の点滅状態を概念的に示す説明図である。
【図１２】変形例２に係る３色ＬＥＤ表示部の点灯に係る制御部の処理手順を示すフローチャートである。
【図１３】変形例２に係る３色ＬＥＤ表示部の点滅状態を概念的に示す説明図である。
【発明を実施するための形態】
【００２０】
以下本発明をその実施の形態を示す図面に基づき具体的に説明する。
図１は、本実施の形態に係るデータ記録装置の外観を示す模式図である。データ記録装置１には、テレビジョン受像機である映像表示装置４が接続されており、データ記録装置１は、映像表示装置４に対して映像信号及び音声信号を出力し、映像表示装置４は、映像信号に基づいた映像を表示し、音声信号に基づいた音声を出力する。またデータ記録装置１は、使用者によって操作されるリモコン（リモートコントローラ）５からの信号を受信することにより、録画予約の指示等の各種の指示を受け付ける。
【００２１】
図２は、本実施の形態に係るデータ記録装置１の内部構成を示すブロック図である。データ記録装置１は、図示しない外部のアンテナ等に接続されており、該アンテナによって受信した放送信号が入力される放送入力部３１と、図示しない外部チューナ等の外部装置から出力された映像信号及び音声信号が入力される信号入力部３２とを備えている。また、データ記録装置１は、装着されている光ディスク６の内容を表示するための３色ＬＥＤ表示部３３と、電源ＬＥＤ３４と、リモコン５から送信された信号を受信するリモコン受信部３５と、映像表示装置４へ映像信号を出力する信号出力部３６と、放送された番組の内容を表すコンテンツデータを記録するハイブリッドドライブ部１０と、放送信号からコンテンツデータ及び映像信号を生成する処理を行うバックエンド部２０とを備えている。コンテンツデータは映像及び音声からなる番組の内容を表すデジタルデータであり、コンテンツデータをデコードすることにより、番組の映像及び音声を再生することができる。
【００２２】
バックエンド部２０は、デジタルチューナ部２１、エンコーダ部２２、デジタル信号処理部２３、制御部２４、制御用メモリ２５、インタフェース部２６、保存用メモリ２７，デコーダ２８、画像処理部２９を備える。
【００２３】
デジタルチューナ部２１には放送入力部３１が接続されている。デジタルチューナ部２１は、放送入力部３１から出力された放送信号を受信して選局を行い、放送信号から選局されたチャンネル即ち特定の周波数帯の放送信号をＭＰＥＧ（Moving Picture Experts Group）−２ＴＳ（Transport Stream）等のデジタルのストリームデータに変換し、変換したストリームデータをデジタル信号処理部２３に与える。
【００２４】
エンコーダ部２２には、信号入力部３２が接続されている。エンコーダ部２２は、信号入力部３２から出力された映像信号及び音声信号を受信し、受信した映像信号及び音声信号をＭＰＥＧ−２ＰＳ（Program Stream）又はＭＰＥＧ−２ＴＳ等のデジタルのストリームデータにエンコードし、エンコードされたストリームデータをストリームデータ処理部に与える。
【００２５】
デジタル信号処理部２３には、デジタルチューナ部２１及びエンコーダ部２２が接続されている。デジタル信号処理部２３は、デジタルチューナ部２１及びエンコーダ部２２から与えられたストリームデータを取得し、取得したストリームデータの形式を、例えばＤＶＤに適したＭＰＥＧ２−ＰＳ形式等に変換したり、デジタル放送用のスクランブルを解除する処理等のストリームデータに対するデータ処理を行う。
また、デジタル信号処理部２３は、バックエンド部２０内のシステムバスに接続されている。システムバスには、演算を行う演算部を含んでなる制御部２４、揮発性メモリである制御用メモリ２５、ＳＡＴＡ（Serial Advanced Technology Attachment ）等のインタフェース部２６、不揮発性メモリである保存用メモリ２７、ストリームデータをデコードするデコーダ２８が接続されている。
【００２６】
制御部２４は、システムバスに接続された各構成部間でのデータの入出力を制御する処理を行う。また制御部２４にはバックエンド部２０外のリモコン受信部３５が接続されており、制御部２４は、リモコン受信部３５からの信号を取得することにより、データ記録装置１の主電源のオンオフ操作、録画予約操作、再生操作、その他、使用者からの各種の指示を受け付ける。
【００２７】
更に、制御部２４には、３色ＬＥＤ表示部３３と、電源ＬＥＤ３４とが接続されている。３色ＬＥＤ表示部３３は、データ記録装置１に挿入されている光ディスク６の種類を使用者に視認させるための光を発するためのものであり、赤・緑・青の光を合成可能に配された赤色ＬＥＤ、緑色ＬＥＤ及び青色ＬＥＤを有する。赤色ＬＥＤ、緑色ＬＥＤ及び青色ＬＥＤは、例えば、透明の樹脂体に埋設されており、樹脂体から、各ＬＥＤのアノード端子と、共通カソード端子とが突出している。制御部２４は各ＬＥＤの輝度を制御することによって、３色ＬＥＤ表示部３３に任意の色の光を発光させる。なお、３色のＬＥＤを用いる構成は一例であり、複数の異なる色の光を発することができる構成であれば、これに限定されるものでは無い。電源ＬＥＤ３４は、データ記録装置１の電源のオンオフ状態を表示するためのものであり、電源ＬＥＤ３４の点灯及び消灯は、制御部２４によって制御される。
【００２８】
なお、データ記録装置１は、更に、チューナ装置等の外部装置からストリームデータを受信するイーサネット（登録商標）等のデジタルインタフェースを備えていてもよい。このデジタルインタフェースは、デジタル信号処理部２３に接続されている。また、制御部２４は、録画予約用の図示しない時計部が接続されており、番組の録画予約を行うための時刻管理を行うことができる。
【００２９】
制御用メモリ２５は、デジタル信号処理部２３又は制御部２４等が実行する演算に伴う一時的な情報、主にデジタル信号処理部２３で処理されたストリームデータ、又はハイブリッドドライブ部１０から取得したストリームデータを記憶する揮発性のメモリである。制御用メモリ２５は、一時的に記憶したストリームデータを、制御部２４の指示に従ってデコーダ２８に与える。
【００３０】
デコーダ２８は、制御用メモリ２５から与えられたストリームデータを取得し、取得したストリームデータを映像信号及び音声信号へデコードする。デコーダ２８には、画像処理部２９が接続されており、デコードされた映像信号及び音声信号を該画像処理部２９へ出力する。
【００３１】
画像処理部２９は、画素の補間又は色調整等の画像処理を映像信号に対して実行する。画像処理部２９にはバックエンド部２０外の信号出力部３６が接続されており、画像処理部２９は、映像信号及び音声信号を信号出力部３６から映像表示装置４へ出力する。
【００３２】
保存用メモリ２７は、制御部２４の動作に必要な制御プログラム、及び録画予約に必要な情報等、保存する必要がある情報を記憶する。
【００３３】
インタフェース部２６には、バックエンド部２０外のハイブリッドドライブ部１０が接続されている。バックエンド部２０は、インタフェース部２６を介してハイブリッドドライブ部１０との間でデータを交換する。
【００３４】
ハイブリッドドライブ部１０は、バックエンド部２０に接続するＳＡＴＡ等のインタフェース部１４と、光ディスクドライブ１１と、データを記憶する不揮発性のデータ記憶部１２と、光ディスクドライブ１１及びデータ記憶部１２の動作を制御するドライブ制御部１３とを備える。ハイブリッドドライブ部１０は、インタフェース部１４を介してバックエンド部２０との間でデータを交換する。
【００３５】
光ディスクドライブ１１は、ブルーレイディスク（登録商標）又はＤＶＤ（Digital Versatile Disk）等の光ディスク６が着脱自在に装着し、装着された光ディスク６からのデータの読み出し、及び光ディスク６へのデータの記録を行う。光ディスク６は、光ディスクドライブ１１に対して着脱可能であり、本発明における記録媒体に相当する。また、光ディスクドライブ１１は、光ディスク６が装着されているか否かを検出することができ、光ディスク６が装着された状態にあるか否かを示す信号を出力する。該信号は、ドライブ制御部１３の制御によって、インタフェース部１４，２６を介して、制御部２４へ出力される。
【００３６】
データ記憶部１２は、フラッシュメモリ等の不揮発性メモリ又はハードディスクであり、ドライブ制御部１３の制御に従って、ストリームデータ及び各種データの読み書きを行う。
【００３７】
図３は、記憶部の内部構成を概念的に示す説明図である。データ記憶部１２は、データ記憶部１２の記憶内容を管理するための情報を記憶する管理領域、並びにコンテンツデータを記憶するための第１領域、第２領域、…、第ｎ領域及び予備領域の複数の記憶領域を含んで構成されている。ここで、ｎは正の整数である。ｎは予め適当な値に定められており、データ記録装置１の出荷時点では、データ記憶部１２の記憶領域が管理領域、第１〜第ｎ領域及び予備領域の複数の記憶領域に予め分割されている。
【００３８】
データ記憶部１２の記憶領域の内、第１〜第ｎ領域は、個別に特定の光ディスク６を対応付けておき、対応づけた光ディスク６に応じたデータを記憶するための記憶領域である。例えば、第１領域には特定の光ディスク６１が対応付けられ、第２領域には特定の光ディスク６２が対応付けられている。データ記録装置１の出荷時点では、いずれの領域にも光ディスク６は対応付けられていない。データ記録装置１を使用するには、使用者所有の光ディスク６を何れかの記憶領域に対応付けて登録する処理を行う必要がある。また予備領域は、その他のデータを記憶するための記憶領域である。
【００３９】
データ記憶部１２の管理領域は、図３に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域は、データ記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００４０】
第１領域管理部には、第１記憶領域の番号を示すエントリ番号、第１領域に実際に光ディスク６が対応付けられているか否かを示す割り当てフラグ、及び対応付けられた光ディスク６を識別するためのメディアＩＤが記憶される。また第１領域管理部には、データ記憶部１２の記憶領域中で第１領域に割り当てられたエリアのアドレスを示す割り当てエリア情報、光ディスク６のコピーガードに利用するための情報であるメディアキー情報、第１領域に係るデータの分布状態を示すマップ情報、及び光ディスク６を区別ないし分類するための色情報が記憶される。メディアＩＤ及びメディアキー情報は、光ディスク６に予め記録されている情報であり、個々の光ディスク６について固有の情報である。即ち、メディアＩＤ及びメディアキー情報は、本発明における媒体情報に相当する。データ記録装置１の出荷時点では、第１領域にはまだ光ディスク６１が対応付けられていないので、割り当てフラグは光ディスク６が対応付けられていないことを示しており、特定の光ディスク６１に固有のメディアＩＤ、メディアキー情報及び色情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。第２〜第ｎ領域管理部の夫々にも、同様の情報が記憶される。
なお、データ記録装置１は、データ記憶部１２の記憶領域が予め分割されているのではなく、使用者がｎの値を指定することによりｎを決定し、ｎの値に応じてデータ記憶部１２の記憶領域を分割する処理を行う形態であってもよい。
次に、以上の構成でなるデータ記録装置１が実行する処理を説明する。
【００４１】
＜登録処理＞
図４は、光ディスク６の登録に係る処理手順を示すフローチャートである。光ディスクドライブ１１の挿入口に光ディスク６が挿入された場合、ドライブ制御部１３は、光ディスクドライブ１１に、光ディスク６を引き込み、装着させる（ステップＳ１１）。なお、言うまでも無く、トレーに載置された光ディスク６を、使用者の指示に従って引き込み、該光ディスク６を装着する構成でも良い。
【００４２】
次いで、ドライブ制御部１３は、光ディスク６中の所定の位置に記録された情報を光ディスクドライブ１１に読み出させることにより、光ディスク６のメディアＩＤを読み出し、読み出したメディアＩＤをインタフェース部１４からバックエンド部２０へ出力する（ステップＳ１２）。制御部２４は、インタフェース部２６を介してメディアＩＤを取得し、取得したメディアＩＤがデータ記憶部１２の第１〜第ｎ領域管理部のいずれかに記憶されているかを判定することにより、装着された光ディスク６が既に登録済みの光ディスク６であるか否かを判定する（ステップＳ１３）。
【００４３】
メディアＩＤがデータ記憶部１２に記憶されており、光ディスク６が登録済みであると判定した場合（ステップＳ１３：ＹＥＳ）、制御部２４は、処理を終える。光ディスク６が未登録であると判定した場合（ステップＳ１３：ＮＯ）、制御部２４は、光ディスクドライブ１１に装着された光ディスク６に固有の媒体情報を、光ディスク６が対応付けられていない記憶領域に関連付けてデータ記憶部１２の管理領域に記憶することにより、光ディスク６を記憶領域に対応付けて登録する処理を行う（ステップＳ１４）。例えば、データ記憶部１２の第１領域に光ディスク６１を対応付ける場合、制御部２４は、光ディスクドライブ１１に装着されている光ディスク６１から読み出したメディアＩＤ及びメディアキー情報をデータ記憶部１２の第１領域管理部に記憶させる処理を行う。また第１領域管理部に記憶されている割り当てフラグを、光ディスク６が対応付けられていることを示すフラグに書き換える。
【００４４】
ステップＳ１４の処理を終えた制御部２４は、光ディスク６を区別ないし分類するための色を表した色情報を受け付ける（ステップＳ１５）。例えば、制御部２４は、光ディスク６を区別ないし分類するための色を登録するためのディスク色登録画面を映像表示装置４に表示し、色情報をリモコン受信部３５で受け付ける。色情報は、例えば、赤色、緑色、青色それぞれの発光量を示した情報である。なお、言うまでもなく、色情報の内容はこれに限定されるものでは無く、発光の色を特定することが可能な情報であれば、その他の情報を採用しても良い。
【００４５】
図５は、ディスク色登録画面の一例を示した模式図である。ディスク登録画面には、例えば、新規に登録する光ディスク６の番号、及び該光ディスク６を区別ないし分類するための色の候補が表示される。また、登録済みの光ディスク６の番号、及び登録済みの光ディスク６の色が表示される。使用者は、例えば、リモコン５の十字キーを操作することによって、色の候補を変更することができ、決定ボタンを操作することで、光ディスク６の色を確定し、データ記憶部１２に色情報を登録させることができる。
【００４６】
次いで、制御部２４は、光ディスクドライブ１１に装着されている光ディスク６のメディアＩＤ及びメディアキー情報と、ステップＳ１５で受け付けた色情報とを関連付けて、データ記憶部１２の管理領域に記憶させることによって、色情報の登録を行い（ステップＳ１６）、処理を終える。
【００４７】
＜３色ＬＥＤ表示部３３の点灯処理＞
図６は、３色ＬＥＤ表示部３３の点灯に係る制御部２４の処理手順を示すフローチャートである。使用者によって電源オフの操作がされた場合、制御部２４は、電源ＬＥＤ３４を消灯させる（ステップＳ３１）。次いで、制御部２４は、光ディスクドライブ１１に光ディスク６が装着されているか否かを判定する（ステップＳ３２）。光ディスク６が装着されてないと判定した場合（ステップＳ３２：ＮＯ）、制御部２４は、３色ＬＥＤ表示部３３を消灯し（ステップＳ３３）、処理を終える。
【００４８】
光ディスク６が装着されていると判定した場合（ステップＳ３２：ＹＥＳ）、制御部２４は、ステップＳ１２と同様の処理で光ディスク６からメディアＩＤを読み出す（ステップＳ３４）。そして、制御部２４は、ステップＳ３４で読み出したメディアＩＤを用いて、データ記憶部１２から、該メディアＩＤに関連付けられた色情報を読み出す（ステップＳ３５）。なお、ステップＳ３４，３５の処理では、メディアＩＤ及びメディアキー情報の両方を用いて、色情報の読み出しを行っても良い。
【００４９】
そして、制御部２４は、読み出された色情報に基づいて、３色ＬＥＤ表示部３３を点灯させる（ステップＳ３６）。色情報には、例えば、赤色、緑色及び青色の発光量を示す情報が含まれており、制御部２４は、赤色ＬＥＤ、青色ＬＥＤ及び緑色ＬＥＤそれぞれのアノードに、前記情報によって表される電流を流すことによって、前記色情報が表す色で３色ＬＥＤ表示部３３を発光させる。また、３色ＬＥＤ表示部３３は、常時点灯させても良いが、省エネの観点から、周期的に点滅させる方がより好ましい。
【００５０】
図７は、電源がオフ状態にあるデータ記録装置の外観を示す模式図、図８は、３色ＬＥＤ表示部３３の点滅状態を概念的に示す説明図である。図７に示すように、データ記録装置１の電源がオフ状態で、光ディスク６を装着している状態では、電源ＬＥＤ３４は消灯する。そして、３色ＬＥＤ表示部３３は、データ記録装置１に装着されている光ディスク６のメディアＩＤに関連付けられている色情報が表す色で点滅発光する。点滅周期は、例えば、図８に示すように３０秒に１回であり、１回の点灯時間は１秒間である。
【００５１】
次いで、制御部２４は、データ記録装置１の電源をオフ状態にする（ステップＳ３７）。具体的には、制御部２４は、図示しない電源回路に制御信号を与えることによって、３色ＬＥＤ表示部３３及びリモコン受信部等を除いた各構成部、つまりスタンバイ状態で動作しない回路への給電を停止させる。
【００５２】
次いで、制御部２４は、リモコン受信部３５が受信する信号を監視し、電源オンが指示されたか否かを判定する（ステップＳ３８）。電源オンが指示されていないと判定した場合（ステップＳ３８：ＮＯ）、制御部２４は、処理をステップＳ３６へ戻す。電源オンが指示された場合、（ステップＳ３８：ＹＥＳ）、制御部２４は、３色ＬＥＤ表示部３３の点灯に係る処理を終える。
【００５３】
＜電源オン状態におけるディスク情報の表示＞
図９は、電源がオン状態にあるデータ記録装置の外観を示す模式図である。データ記録装置１及び映像表示装置４の電源がオン状態にある場合、ディスク情報の表示の指示を受け付けた制御部２４は、ステップＳ１２と同様の処理で光ディスク６からメディアＩＤを読み出し、読み出したメディアＩＤを用いて、データ記憶部１２から、該メディアＩＤに関連付けられた色情報、その他の情報を読み出す。そして、制御部２４は、光ディスクドライブ１１に装着されている光ディスク６に関する情報を信号出力部３６を介して映像表示装置４へ出力することによって、該情報の内容を映像表示装置４に表示させる。
【００５４】
＜録画予約・録画処理＞
以下、本実施の形態に係るデータ記録装置を用いた、放送番組の録画予約及び録画処理について説明する。まず、録画予約処理について説明する。データ記録装置１は、登録された光ディスク６が光ディスクドライブ１１に装着されている状態で、録画予約の処理を行う。制御部２４は、録画すべき番組の指定を受け付けるための受付画面を映像表示装置４に表示させ、使用者が所定の操作を行ったリモコン５からの信号をリモコン受信部３５で受信することによって、録画すべき番組の指定を受け付ける。次いで、制御部２４は、受け付けた番組の指定に従って、録画を予約した番組を指定する予約情報を生成し、光ディスクドライブ１１に装着されている光ディスク６のメディアＩＤと関連付けて、予約情報を保存用メモリ２７に記憶させる。そして、制御部２４は、ドライブ制御部及び光ディスクドライブ１１に、光ディスクドライブ１１に装着されている光ディスク６に予約情報を記録させる。データ記録装置１は、以上で録画予約の処理を終了する。
【００５５】
次に、録画処理について説明する。制御部２４は、時計部を用いて日時を計測し、保存用メモリ２７に記憶してある予約情報に含まれる情報が示す番組の放送日時になったか否かを随時判定する。予約情報に含まれる情報が示す番組の放送日時になった場合、制御部２４は、光ディスクドライブ１１に光ディスク６が装着されているか否かを判定する。光ディスクドライブ１１に光ディスク６が装着されていると判定した場合、制御部２４は、光ディスクドライブ１１に装着されている光ディスク６が放送日時を示す情報を含む予約情報に関連付けられた光ディスク６であるか否かを判定する。メディアＩＤが一致してあり、光ディスク６が予約情報に関連付けられた光ディスク６であると判定した場合、制御部２４は、放送が開始された番組の内容を表すコンテンツデータを光ディスクドライブ１１で光ディスク６に記録させる処理を行う。
【００５６】
番組の放送が終了し、コンテンツデータの記録が終了した場合、制御部２４は、光ディスク６に記録したコンテンツデータが表す番組のタイトルを示すタイトル情報を光ディスク６に記録させる。番組のタイトルには、電子番組表で表示されるタイトル等、デジタルチューナ部２１が受信する放送信号に含まれる情報に基づいて決定したタイトルを用いてもよく、また使用者がリモコン５を操作することにより設定されたタイトルを用いてもよい。
【００５７】
一方、光ディスクドライブ１１に光ディスク６が装着されていない場合、又はメディアＩＤが一致しておらず、光ディスク６が予約情報に関連付けられた光ディスク６ではない場合、制御部２４は、放送が開始された番組の内容を表すコンテンツデータを、データ記憶部の記憶領域の内で、予約情報に関連付けられたメディアＩＤに対応する記憶領域に記憶させる。録画を終えた場合、制御部２４は、光ディスク６に記録させたタイトル情報と同等のタイトル情報を、保存用メモリ２７に記憶する。
【００５８】
なお、その後、データ記録装置１に光ディスク６が装着された場合、光ディスク６に記録されているデータと、対応領域に記録されているデータとを同期させる。つまり、対応領域に記憶してあるコンテンツデータを、光ディスク６に複製する処理を行う。なお、上述の録画予約及び録画処理の方法は、対応領域の使用方法の一例である。
【００５９】
以上のように構成された本実施の形態に係るデータ記録装置１によれば、映像表示装置４を起動することなく、データ記録装置１に挿入されている光ディスク６の種類を確認することができる。
【００６０】
また、３色ＬＥＤ表示部は点滅発光するため、常時点灯する場合に比べて、消費電力を削減することができる。
【００６１】
（変形例１）
変形例１に係るデータ記録装置１は、映像表示装置４を起動することなく、光ディスク６の種類、及び該光ディスクの空き容量を確認することを可能にするものである。変形例１に係るデータ記録装置１は、処理手順のみが実施の形態に係るデータ記録装置１と異なるため、以下では主に上記相異点について説明する。
【００６２】
図１０は、変形例１に係る３色ＬＥＤ表示部３３の点灯に係る制御部２４の処理手順を示すフローチャート、図１１は、変形例１に係る３色ＬＥＤ表示部３３の点滅状態を概念的に示す説明図である。制御部２４は、実施の形態と同様、電源ＬＥＤ３４の消灯、光ディスク６の装着の有無の判定、色情報の読み出し等の処理を、ステップＳ５１〜ステップＳ５５で実行する。
【００６３】
次いで、制御部２４は、光ディスク６の空き容量を検出する（ステップＳ５６）。制御部２４は、インタフェース部１４，２６を介してドライブ制御部１３の動作を制御する。ドライブ制御部１３は、制御部２４の制御命令に応じて動作し、光ディスク６に記録された空き容量に関する情報を光ディスクドライブ１１に読み出させ、読み出したメディアＩＤをインタフェース部１４からバックエンド部２０へ出力する。制御部２４は、インタフェース部２６を介して、光ディスク６の空き容量に関する情報を取得することにより、該空き容量を検出する。
【００６４】
次いで、制御部２４は、光ディスク６の空き容量に応じた点灯態様を決定する（ステップＳ５７）。そして、制御部２４は、色情報及び決定された点灯態様に基づいて３色ＬＥＤ表示部３３を点滅させる（ステップＳ５８）。例えば、制御部２４は、光ディスク６の全容量に対する空き容量の割合を算出し、算出された割合を、１周期における３色ＬＥＤ表示部３３の点灯回数として決定する。具体的には、図１１に示すように、１周期を１０秒とする。そして、全容量に対する空き容量の割合が３割である場合、図１１Ａに示すように、１周期の間で３色ＬＥＤ表示部３３を３回点灯させる。点灯時間は、０．５秒である。全容量に対する空き容量の割合が５割であれば、図１１Ｂに示すように、１周期の間で３色ＬＥＤ表示部３３を５回点灯させる。なお、使用済み容量の割合を、１周期における３色ＬＥＤ表示部３３の点灯回数として決定するように構成しても良い。つまり、検出された空き容量が少ない程、消灯時間に対する点灯時間の比を大きくしても良い。
【００６５】
次いで、制御部２４は、データ記録装置１の電源をオフ状態にする（ステップＳ５９）。そして、制御部２４は、リモコン受信部３５が受信する信号を監視し、電源オンが指示されたか否かを判定する（ステップＳ６０）。電源オンが指示されていないと判定した場合（ステップＳ６０：ＮＯ）、制御部２４は、処理をステップＳ５８へ戻す。電源オンが指示された場合、（ステップＳ６０：ＹＥＳ）、制御部２４は、３色ＬＥＤ表示部３３の点灯に係る処理を終える。
【００６６】
変形例１に係るデータ記憶装置によれば、３色ＬＥＤ表示部３３の点灯色によって、光ディスク６の種類を確認することができると共に、３色ＬＥＤ表示部３３の連続点灯回数によって、データ記録装置１に装着されている光ディスク６の空き容量を視認することができる。
【００６７】
なお、変形例１では、電源がオフ状態にある場合に、光ディスクの空き容量に応じた異なる態様で３色ＬＥＤ表示部を点灯させるように構成してあるが、電源がオン状態にある場合に、光ディスクの空き容量を３色ＬＥＤ表示部で点灯させるように構成しても良い。
例えば、電源がオフ状態にある場合、実施の形態で説明した態様で３色ＬＥＤ表示部を点灯させ、電源がオン状態にある場合、光ディスクの空き容量に応じた態様で３色ＬＥＤ表示部を点灯させるように構成しても良い。
その他、使用者による録画処理が予期される操作、例えば電子番組表の表示に伴い光ディスクの空き容量を３色ＬＥＤ表示部で点灯させ、使用者に注意を喚起するような構成にしても良い。即ち、録画予約に係る処理を受け付ける手段をデータ記録装置に備え、該処理を受け付けた場合、発光手段が発光するように構成しても良い。また、録画予約に係る処理を受け付けていない場合、発光手段を消灯させるように構成しても良い。更に、録画予約に係る処理を終えた場合、発光手段を所定時間発光させるように構成しても良い。
【００６８】
（変形例２）
変形例２に係るデータ装置は、映像表示装置４を起動することなく、光ディスク６の種類、及び該光ディスク６に対応付けられた記憶領域の空き容量を確認することを可能にするものである。変形例１に係るデータ記録装置１は、処理手順のみが実施の形態に係るデータ記録装置１と異なるため、以下では主に上記相異点について説明する。
【００６９】
図１２は、変形例２に係る３色ＬＥＤ表示部３３の点灯に係る制御部２４の処理手順を示すフローチャート、図１３は、変形例２に係る３色ＬＥＤ表示部３３の点滅状態を概念的に示す説明図である。
【００７０】
制御部２４は、変形例１と同様、電源ＬＥＤ３４の消灯、光ディスク６の装着の有無の判定、色情報の読み出し、光ディスク６の空き容量検出、点灯態様の決定等の処理を、ステップＳ７１〜ステップＳ７６で実行する。
【００７１】
ステップＳ７６の処理を終えた制御部２４は、光ディスク６の空き容量に応じた第１点灯態様を決定する（ステップＳ７７）。第１点灯態様の決定方法は、変形例１における点灯態様の決定方法と同一であり、後述の対応領域の空き容量に応じた第２点灯態様と区別するために便宜上、ステップＳ７７で決定される点灯態様を第１点灯態様と呼ぶ。
次いで、制御部２４は、対応領域、即ち装着されている光ディスク６のメディアＩＤに関連付けられた記憶領域の空き容量を検出する（ステップＳ７８）。例えば、制御部２４は、ステップＳ７４で読み出したメディアＩＤに基づいて、管理領域から、装着されている光ディスク６のメディアＩＤに関連付けられた記憶領域の空き容量に関する情報を読み出すことによって、空き容量を検出する。以下、装着されている光ディスク６のメディアＩＤに関連付けられた記憶領域を対応領域という。そして、制御部２４は、対応領域の空き容量に応じた第２点灯態様を決定する（ステップＳ７９）。第２点灯態様の決定方法は、変形例１における点灯態様の決定方法と同様である。
【００７２】
そして、制御部２４は、色情報及び決定された第１点灯態様に基づいて３色ＬＥＤ表示部３３を点滅させる（ステップＳ８０）。次いで、制御部２４は、第２点灯態様に基づいて、ステップＳ８０とは異なる色で３色ＬＥＤ表示部３３を点滅させる（ステップＳ８１）。例えば、光ディスク６の空き容量が３割、記憶領域の空き領域が５割である場合を説明する。図１３に示すように、第１周期では、光ディスク６の空き容量を表示すべく、１周期の１０秒間の間に、３回、３色ＬＥＤ表示部３３を発光させる。発光色は、光ディスク６に対応する色である。次の第２周期では、対応領域の空き容量を表示すべく、１周期の１０秒間の間に、５回、３色ＬＥＤ表示部３３を発光させる。発光色については、例えば、光ディスク６に対応する色と、その他の色とを交互に発光させるようにすると良い。
【００７３】
次いで、制御部２４は、データ記録装置１の電源をオフ状態にする（ステップＳ８２）。そして、制御部２４は、リモコン受信部３５が受信する信号を監視し、電源オンが指示されたか否かを判定する（ステップＳ８３）。電源オンが指示されていないと判定した場合（ステップＳ８３：ＮＯ）、制御部２４は、処理をステップＳ８０へ戻す。電源オンが指示された場合、（ステップＳ８３：ＹＥＳ）、制御部２４は、３色ＬＥＤ表示部３３の点灯に係る処理を終える。
【００７４】
変形例２に係るデータ記憶装置によれば、３色ＬＥＤ表示部３３の点灯色によって、光ディスク６の種類を確認することができると共に、３色ＬＥＤ表示部３３の連続点灯回数によって、データ記録装置１に装着されている光ディスク６の空き容量と、該光ディスク６に対応付けられた記憶領域の空き容量とを視認することができる。
【００７５】
なお、変形例２では、電源がオフ状態にある場合に、光ディスク及び対応領域の空き容量に応じた異なる態様で３色ＬＥＤ表示部を点灯させるように構成してあるが、電源がオン状態にある場合に、光ディスク及び記憶領域の空き容量を３色ＬＥＤ表示部で点灯させるように構成しても良い。
例えば、電源がオフ状態にある場合、実施の形態で説明した態様で３色ＬＥＤ表示部を点灯させ、電源がオン状態にある場合、光ディスク及び対応領域の空き容量に応じた態様で３色ＬＥＤ表示部を点灯させるように構成しても良い。
【００７６】
また、２つの３色ＬＥＤ表示部を備え、第１の３色ＬＥＤ表示部は、光ディスクの空き容量に応じて異なる態様で点滅し、第２の３色ＬＥＤ表示部は、対応領域の空き容量に応じて異なる態様で点滅するように構成しても良い。
【００７７】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００７８】
１  データ記録装置
４  映像表示装置
５  リモコン
１０  ハイブリッドドライブ部
１１  光ディスクドライブ
１２  データ記憶部
１３  ドライブ制御部
２０  バックエンド部
２１  デジタルチューナ部
２２  エンコーダ部
２３  デジタル信号処理部
２４  制御部
２５  制御用メモリ
２６  インタフェース部
２７  保存用メモリ
２８  デコーダ
２９  画像処理部
３１  放送入力部
３２  信号入力部
３３  ３色ＬＥＤ表示部
３４  電源ＬＥＤ
３５  リモコン受信部
３６  信号出力部
６１  光ディスク（記録媒体）
【図１】
2012003820.tif 000003
【図２】
2012003820.tif 000004
【図３】
2012003820.tif 000005
【図４】
2012003820.tif 000006
【図５】
2012003820.tif 000007
【図６】
2012003820.tif 000008
【図７】
2012003820.tif 000009
【図８】
2012003820.tif 000010
【図９】
2012003820.tif 000011
【図１０】
2012003820.tif 000012
【図１１】
2012003820.tif 000013
【図１２】
2012003820.tif 000014
【図１３】
2012003820.tif 000015